(57)【要約】【課題】周期性を有する生体情報を表示するに当たって、その生体情報の有する周期との関係がより直感的、容易に把握できる表示方法を提供すること。【解決手段】周期性を有する生体情報を表示するための方法であって、所定の時刻範囲を示す時刻帯２２が刻まれた時刻表示画像２１を作成するステップと、前記時刻表示画像２１の該当時刻帯２２上に前記生体情報をプロットするステップとを有し、前記時刻表示画像２１が、前記生体情報が有する周期を一周期とする波形状の表示画像である、生体情報表示方法。【選択図】図１
2014168492.tif 000002
【特許請求の範囲】
【請求項１】
周期性を有する生体情報を表示するための方法であって、
所定の時刻範囲を示す時刻帯が刻まれた時刻表示画像を作成するステップと、
前記時刻表示画像の該当時刻帯上に前記生体情報をプロットするステップとを有し、
前記時刻表示画像が、前記生体情報が有する周期を一周期とする波形状の表示画像である、
生体情報表示方法。
【請求項２】
前記生体情報は、図形の面積、数もしくは色またはこれらの組み合わせと関連付けて表示される、
請求項１に記載の生体情報表示方法。
【請求項３】
前記周期が２４時間である、
請求項１または２に記載の生体情報表示方法。
【請求項４】
前記生体情報がユーザーの睡眠状態に関する睡眠データである、
請求項３に記載の生体情報表示方法。
【請求項５】
前記生体情報がユーザーの活動状態に関する活動量データである、
請求項３に記載の生体情報表示方法。
【請求項６】
前記生体情報がユーザーの血圧データである、
請求項３に記載の生体情報表示方法。
【請求項７】
周期性を有する生体情報を表示するためのプログラムであって、
所定の時刻範囲を示す時刻帯が刻まれた時刻表示画像を作成するステップと、
前記時刻表示画像の該当時刻帯上に前記生体情報をプロットするステップとを有し、
前記時刻表示画像が、前記生体情報が有する周期を一周期とする波形状の表示画像である、
生体情報表示プログラム。
【発明の詳細な説明】
【技術分野】
【０００１】
本発明は、ユーザーの睡眠状態、活動状態、血圧等の周期性を有する生体情報を表示する方法およびプログラムに関する。
【背景技術】
【０００２】
従来から、人の睡眠状態、活動量、血圧等の生体情報を測定・記録してその結果を表示することに関して、種々の技術が開示されている。これらの技術は、ユーザーが自ら生活習慣を改善しようとする際には、現状を正しく認識して問題点を意識するためにきわめて有用である。また、医師が患者の治療を行う際にも、患者の経過を正しく認識して治療の効果を確認するためにきわめて有用である。
【０００３】
ところで、人の生理現象の多くはある周期に従って変化することが知られている。例えば、人の睡眠は生活の昼夜リズムやホルモンの分泌リズムと関わっており、約２４時間を一周期とする周期性（概日リズム）を有する。血圧、脈拍、体温なども同様に概日リズムを有する。また、成人女性の月経はおよそ２８日を一周期とする周期性を有する。
【０００４】
特許文献１および２には、ユーザーの睡眠状態に関して、一定日数分の就床時刻および起床時刻を記憶し、就寝時間帯を各日付毎に帯グラフで表示することが記載されている。
【先行技術文献】
【特許文献】
【０００５】
【特許文献１】特開２０１０−１４８８２９号公報
【特許文献２】特開２００３−３３９６７４号公報
【発明の概要】
【発明が解決しようとする課題】
【０００６】
周期性を有する生体情報を表示する場合、生体情報をその周期とともに表示する方が、観察者が表示内容をより容易に把握しやすいので望ましい。しかしながら、特許文献１に記載された帯グラフは睡眠時間帯のみを抜き出したものであるため、表示が２４時間の内の何時頃のものかが一見して把握しにくいし、睡眠と概日リズムとの関係も理解しにくいという問題があった。また、特許文献２に記載されたような帯グラフでは、個々の帯は２４時間に対応しているものの、睡眠時間帯が分断されているため睡眠状況が把握しにくいことの他、帯の両端がどこに連続しているかや帯のどの部分が昼間に相当しどの部分が夜間に相当するかが一見して把握できず、またユーザーの生体情報が２４時間の内のどの時間帯のものであるかが直感的には把握できないという問題があった。
【０００７】
本発明は上記を考慮して成されたものであり、生体情報表示するに当たって、その生体情報の有する周期との関係がより直感的、容易に把握できる表示方法を提供することを目的とする。併せて、その生体情報表示方法を実現するためのプログラムを提供することを目的とする。
【課題を解決するための手段】
【０００８】
本発明の生体情報表示方法は、周期性を有する生体情報を表示するための方法であって、所定の時刻範囲を示す時刻帯が刻まれた時刻表示画像を作成するステップと、前記時刻表示画像の該当時刻帯上に前記生体情報をプロットするステップとを有し、前記時刻表示画像が、前記生体情報が有する周期を一周期とする波形状の表示画像である。
【０００９】
ここで、生体情報の有する周期とは、生体に内在的に形成される体内時計と厳密に一致する必要はなく、光など外界からの刺激によって修正された周期でもよい。例えば、概日リズムは、正確には２４時間よりも少し長いが、太陽の光や食事・出勤・登校などの生活パターンなどによって２４時間に修正されることが知られている。また、波形状とは、周期性を持って画面上で変位する各種の形状を含む概念である。
【００１０】
好ましくは、前記生体情報は、図形の面積、数もしくは色またはこれらの組み合わせと関連付けて表示される。
【００１１】
好ましくは、前記周期が２４時間である。
【００１２】
好ましくは、前記生体情報がユーザーの睡眠状態に関する睡眠データである。あるいは、好ましくは、前記生体情報がユーザーの活動状態に関する活動量データである。あるいは、好ましくは、前記生体情報がユーザーの血圧データである。
【００１３】
本発明の生体情報表示プログラムは、周期性を有する生体情報を表示するためのプログラムであって、所定の時刻範囲を示す時刻帯が刻まれた時刻表示画像を作成するステップと、前記時刻表示画像の該当時刻帯上に前記生体情報をプロットするステップとを有し、前記時刻表示画像が、前記生体情報が有する周期を一周期とする波形状の表示画像である。
【発明の効果】
【００１４】
本発明によれば、ユーザーが、生体情報と生体情報が有する周期との関係をより直感的、容易に把握することができる。その結果として、ユーザーが生体情報の記録を参照して自らの生活習慣の改善を図る場合や、医師等が患者の治療に役立てようとする場合に、より容易に正しく現状を認識することが可能となる。
【図面の簡単な説明】
【００１５】
【図１】本発明の方法による生体情報表示画像の一例を示す図である。
【図２】本発明の一実施形態に使用される生体情報表示システムの全体構成を示す図である。
【図３】本発明の一実施形態に使用される睡眠計測装置の構成を示す図である。
【図４】本発明の一実施形態に使用される活動量計測装置の構成を示す図である。
【図５】本発明の一実施形態に使用されるサーバーの構成を示す図である。
【図６】本発明の一実施形態に使用される表示端末の構成を示す図である。
【図７】本発明の一実施形態に使用されるサーバーが睡眠データを取得する動作を示す図である。
【図８】本発明の一実施形態に使用されるサーバーが活動量データを取得する動作を示す図である。
【図９】本発明の一実施形態に使用されるサーバーが生体情報表示画像を作成する動作を示す図である。
【発明を実施するための形態】
【００１６】
本発明の一実施形態について、生体情報表示画像、システムの構成、プログラムの動作を以下に順次説明する。
【００１７】
図１に、本実施形態によって表示される生体情報表示画像２０の一例を示す。図１を参照すると、生体情報表示画像２０は、波形状の時刻表示画像２１を有し、生体情報としてユーザーの睡眠情報、活動量および食事時刻がプロットされている。
【００１８】
図１の時刻表示画像２１は、１時間が４等分されて、１５分の時刻範囲を示す時刻帯２２が刻まれている。そして、この時刻表示画像２１は、２４時間を一周期とする波形の形状を有している。より具体的には、図１の時刻表示画像２１は、ある日の正午頃（ａ）を画面左上として、時間が進むにつれて右・下に進み、深夜０時（ｂ）に画面中ほどで最も低くなり、時間が進むにつれて右・上に進み、翌日の正午頃（ｃ）を画面右上としている。これにより、睡眠時間が分断されずに表示されている。このように、時刻表示画像２１と表示される生体情報である睡眠情報が同じ周期を有することによって、画像の起点および終点を適切に選択して睡眠時間帯を分断せずに表示することができるので、睡眠状況が把握しやすいという効果が得られる。
【００１９】
さらに、図１の表示画面を前日以前あるいは翌日以降のデータに切り替えるときには、同じ時刻が同じ高さで表示されるため、時間の連続性が把握しやすい。好ましくは、図１の表示画面は、横方向にスクロール可能とすることができる。これにより、前日以前あるいは翌日以降のデータを確認するときに、時間の連続性をより直感的に理解することができる。
【００２０】
時刻表示画像２１において、睡眠時２３と非睡眠時２４では時刻帯が異なる色で表示されている。各日の就床時刻２５に該当する時刻帯から入眠時刻２６に該当する時刻帯までが濃色に着色されている。また、各日の起床予定時刻２７に該当する時刻帯から起床時刻２８に該当する時刻帯までが濃色に着色されている。
【００２１】
時刻表示画像２１を、表示される睡眠情報等と同じ２４時間周期を有する波形状とする利点は次のとおりである。まず、波形状では、結果が表示されている時間帯とその前後の時間帯との連続性が一見して把握しやすいため、ユーザーの視認性が向上する。実際、好ましい形態として画面がスクロール可能であれば、画面をスクロールさせることによって時刻表示画像が過去にも未来にも途切れることなく連続していることが確認できる。次に、その形状によって、ユーザーが着目しているデータが一周期のうちのどの時間帯のものであるかを直感的に把握することができる。図１では、昼間を画面上方、夜間を下方に変位させ、さらに睡眠時と非睡眠時の表示色を変えることによって、表示画像のどの部分が昼間に相当しどの部分が夜間に相当するか、ユーザーの睡眠時間が２４時間の内のどの時間帯に分布しているのかを直感的に把握することができる。つまり、ユーザーは表示された生体情報の意味をより直感的に認識することができ、生体情報と生体情報の周期の関係をより容易に理解することができる。
【００２２】
なお、波形状グラフの形状は、図１に示した半円を互い違いにつなげた形状に限られるものではなく、三角関数グラフ、三角波形状、矩形波形状、その他周期性を持って画面上で変位する各種の波形状とすることができる。また、波形状グラフが時間の経過に従って伸びる方向は、図１に示した横方向に限られるものではなく、縦方向、斜め方向であってもよい。つまり、周期性のある形状の一周期を取り出して一画面で表示することにより、時間の流れの連続性が想起できるものであればよい。
【００２３】
図１において、生体情報のうち睡眠情報としては、就床時刻２５、入眠時刻２６、起床予定時刻２７、起床時刻２８、活動量データ２９、睡眠中に寝返りを行った時刻３２がプロットされている。
【００２４】
表示される睡眠データは特に限定されず、入眠時刻、睡眠深度、寝返り時刻、覚醒時刻、起床予定時刻などから適宜選択することができる。中でも、就床時刻と併せて入眠時刻を、起床時刻と併せて起床予定時刻を表示することは、ユーザーが入眠に要した時間、起床に要した時間を知ることができるので好ましい。このように、ユーザーが自身の睡眠について関心を持つ情報を提供することは睡眠リズムを改善させることに役立つ。
【００２５】
さらに、図１では３段階で評価されるスッキリ度（ユーザーの自己評価による睡眠満足度）３１が表示されている。このように、客観的なデータとユーザーが実際に感じた主観的な評価を表示することにより、両者の関係を把握し易くし、ユーザーに気付きを与えたり、ユーザーによる結果の理解度・納得度を高めることができる。このことから、ユーザーの行動改善への意欲が高められるという効果が期待できる。
【００２６】
また、図１の非睡眠時のいくつかの時刻帯には活動量データがプロットされている。具体的には、中強度の活動が行われた時刻帯２９、および高強度の活動が行われた時刻帯３０が、それぞれ異なる明度で示されている。活動量データとしては、歩数、消費カロリーなどを用いることができる。活動量データを表示する方法は、消費カロリーなどの値をそのまま表示してもよいし、図１のように、予め設定された強度範囲の活動が行われたかどうかを表示するようにしてもよい。
【００２７】
睡眠データや活動量データなどの客観的なデータは、それぞれの計測装置によって計測されたデータであることが好ましい。ユーザーが手入力する場合と比較して、記憶違いやの入力間違いによるミスを防ぐことができるからである。
【００２８】
さらに、図１ではユーザーが食事を取った時刻が、その時刻帯に食事マーク３３を表示することによってプロットされている。食事時刻は、後述するように、ユーザーが表示端末等から入力してサーバーに送信することができる。食事習慣は、活動量と並んで日々の睡眠の質に大きく影響することが知られている。そのため、食事マーク３３と睡眠データを同時に示すことにより、ユーザーに食事習慣の良し悪しを認識させ、食事習慣の改善への意欲を高めることができる。
【００２９】
さらに、図１では、就床時刻前の２時間がリラックスゾーン３４として表示されている。就床時刻２５前のある時間範囲の行動は、睡眠の質に大きく影響することが知られている。例えば、その時間範囲の中で激しい運動をしたり食事を取ったりすると、入眠が遅れ、眠りの満足感が得られにくいことが知られている。時間範囲の大きさには諸説あり、１時間とも３時間とも言われるが、図１では一例として就床時刻前２時間をリラックスゾーンとした。
【００３０】
睡眠データおよび活動量データは、図形の色、面積、数またはこれらの組み合わせと関連付けて表示することが好ましい。図１では色の濃淡と関連付けて表示されているが、これに限られず、データの種類によって色を変えたり、その時刻帯の活動量に応じて着色する部分の長さを変えたりすることができる。これにより、ユーザーがより直感的に測定結果を把握することが可能となる。
【００３１】
次に、本実施形態の生体情報表示方法を用いるシステムの構成を説明する。
【００３２】
図２に、本実施形態の睡眠および活動用表示システムの全体構成を示す。この睡眠および活動用表示システム１０は、インターネット、ＬＡＮ等のネットワーク１１を介して接続されるサーバー１４、睡眠計測装置１２、活動量計測装置１３および表示端末１５を有する。
【００３３】
図３に、睡眠計測装置１２の構成を示す。睡眠計測装置１２は、入力部１２１、センサー１２２、制御部１２３、表示部１２６および通信部１２７を有する。入力部１２１は、ボタン群などによって構成され、計測開始・終了、データ送信等のユーザーからの指示を受け取る。センサー１２２はユーザーの睡眠状態を検知する。制御部１２３は、ＣＰＵ１２４とメモリ１２５を有し、睡眠計測装置１２全体を制御する。メモリ１２５には、ＣＰＵ１２４に実行させるためのプログラムや睡眠データが記憶される。表示部１２６は、ユーザーの指示内容、各種設定の内容、睡眠データの簡単な表示などをユーザーに示す。通信部１２７は、睡眠データをサーバー１４に送信する。
【００３４】
センサー１２２の種類は特に限定されず、加速度センサー、イメージセンサー、電波センサー、超音波センサー等のユーザーの体動を検知できるものが好適に用いられる。ＣＰＵ１２４は、センサー１２２からの信号に基づいて、ユーザーの睡眠状態に関する睡眠データを生成し、メモリ１２５に記憶させる。睡眠データの内容は、ユーザーの睡眠状態が把握できるものであれば特に限定されず、例えば、所定の時刻帯（例えば１分）毎の体動データそのものであってもよいし、体動データから演算によって求められた睡眠深度のレベル等であってもよい。ＣＰＵ１２４はさらに、このような睡眠データから就床、入眠、起床等の時刻を求めて、睡眠データに含めてもよい。
【００３５】
通信部１２７は、ユーザーの指示により、あるいは睡眠計測が終了したときに、睡眠データをネットワーク１１を介してサーバー１４に送信する。このとき睡眠データは、通信部１２７がネットワーク１１に直接接続されることによりサーバー１４に送信されてもよいし、通信部１２７からパソコンや携帯端末等に一旦送信されて、パソコンや携帯端末等がネットワーク１１に接続されることによりサーバー１４に送信されてもよい。何らかの理由により送信が完了できなかった場合には、次に送信が行われて送信が完了するまで、睡眠データは引き続きメモリ１２５に保存される。
【００３６】
また、睡眠計測装置１２には目覚まし時計の機能を付与することもできる。その場合、ユーザーの起床予定時刻を入力部１２１で受け付け、その起床予定時刻を睡眠データの一部として通信部１２７からサーバー１４に送信することができる。
【００３７】
図４に、前記活動量計測装置１３の構成を示す。活動量計測装置１３は、入力部１３１、センサー１３２、制御部１３３、表示部１３６および通信部１３７を有する。入力部１３１は、ボタン群などによって構成され、計測開始・終了、データ送信等のユーザーからの指示を受け取る。センサー１３２はユーザーの活動を検知する。制御部１３３は、ＣＰＵ１３４とメモリ１３５を有し、活動量計測装置１３全体を制御する。メモリ１３５には、ＣＰＵ１３４に実行させるためのプログラムや活動量データが記憶される。表示部１３６は、ユーザーの指示内容、各種設定の内容、活動量データの簡単な表示などをユーザーに示す。通信部１３７は、活動量データをサーバー１４に送信する。
【００３８】
センサー１３２の種類は特に限定されず、加速度センサー等のユーザーの活動状態を検知できるものが用いられる。ＣＰＵ１３４は、センサー１３２からの信号に基づいて、ユーザーの活動状態に関する活動量データを生成し、メモリ１３５に記憶させる。活動量データの内容は、歩数や消費カロリーである。ただし、古典的な歩数計や活動量計によって得られるような単純な積算値では不十分で、少なくとも所定の時刻帯（例えば１０分）毎の積算値である必要がある。
【００３９】
通信部１３７は、ユーザーの指示等により、活動量データをネットワーク１１を介してサーバー１４に送信する。このとき活動量データは、通信部１３７がネットワーク１１に直接接続されることによりサーバー１４に送信されてもよいし、通信部１３７からパソコンや携帯端末等に一旦送信されて、パソコンや携帯端末等がネットワーク１１に接続されることによりサーバー１４に送信されてもよい。何らかの理由により送信が完了できなかった場合には、次に送信が行われて送信が完了するまで、睡眠データは引き続きメモリ１３５に保存される。
【００４０】
図５に、サーバー１４の構成を示す。サーバー１４は、入力部１４１、制御部１４３、表示部１４６および通信部１４７を有する。入力部１４１はキーボード等からの入力を受け取り、主としてプログラムの保守等の際に利用される。制御部１４３は、ＣＰＵ１４４とメモリ１４５を有し、サーバー１４全体を制御するとともに、睡眠および活動量表示プログラムを実行することによって睡眠および活動量表示画像を作成する。メモリ１４５には、ＣＰＵ１４４に実行させるためのプログラム、睡眠データ、活動量データ等各種データ、各種設定テーブル等が記憶される。表示部１４６は操作者へのメッセージ等を表示し、主としてプログラムの保守等の際に利用される。通信部１４７は、睡眠データを睡眠計測装置１２から、活動量データを活動量計測装置１３から受信し、作成された睡眠および活動量表示画像を表示端末１５に送信する。睡眠および活動量表示画像とは、所定の時刻範囲を示す時刻帯が刻まれた時刻表示画像の上に、睡眠データおよび活動量データがプロットされた画像のことをいう。
【００４１】
通信部１４７が睡眠計測装置１２から受信した睡眠データが体動データや睡眠深度データなどで、起床時刻および就床時刻が明示的に含まれていない場合には、ＣＰＵ１４４は受信したデータを解析して起床時刻および就床時刻を求める。
【００４２】
図６に、表示端末１５の構成を示す。表示端末１５は、入力部１５１、制御部１５３、表示部１５６および通信部１５７を有する。入力部１５１は、ボタン群などによって構成され、睡眠および活動量表示画面受信等のユーザーからの指示を受け取る。制御部１５３は、ＣＰＵ１５４とメモリ１５５を有し、表示端末１５全体を制御する。通信部１５７はサーバー１４から睡眠および活動量表示画面を受信し、表示部１５６は当該画像をユーザーに対して表示する。表示端末１５としては、パソコン、スマートフォンなどの各種の情報機器を用いることができる。
【００４３】
表示端末１５は、ユーザーの食事時刻を入力部１５１で受け付け、その情報を通信部１５７からサーバー１４に送信することができる。
【００４４】
次に、本実施形態のプログラムの動作を説明する。
【００４５】
本実施形態のサーバー１４（図２）で実行されるプログラムは、睡眠データを睡眠計測装置１２から取得するステップと、活動量データを活動量計測装置１３取得するステップと、睡眠および活動量表示画像を作成するステップと、睡眠および活動量表示画像を表示端末１５に送信するステップとを有する。睡眠および活動量表示画像を作成するステップは、時刻表示画像を作成するステップと、時刻表示画像上に睡眠データ、活動量データ、その他のデータをプロットするステップを含んでいる。図８〜１０は、本実施形態のプログラムの基本動作を示すフローチャートの例である。
【００４６】
図７は、サーバー１４が睡眠計測装置１２との通信を確立して睡眠データを取得するまでの動作を示している。サーバー１４は、睡眠計測装置１２から通信要求を受信すると通信を確立する。通信が確立されると睡眠計測装置１２の機器ＩＤ等を取得し、予めユーザーＩＤと睡眠計測装置の機器ＩＤを紐付けしてメモリ１４５に記憶されたテーブルを参照して、ユーザーＩＤを取得する。次に、睡眠データを取得して、これを前記ユーザーＩＤと紐付けしてメモリ１４５に記憶する。
【００４７】
図８は、サーバー１４が活動量計測装置１３との通信を確立して睡眠データを取得するまでの動作を示している。サーバー１４は、活動量計測装置１３から通信要求を受信すると通信を確立する。通信が確立されると活動量計測装置１３の機器ＩＤ等を取得し、予めユーザーＩＤと活動量計測装置１３の機器ＩＤを紐付けしてメモリ１４５に記憶されたテーブルを参照して、ユーザーＩＤを取得する。次に、活動量データを取得して、これを前記ユーザーＩＤと紐付けしてメモリ１４５に記憶する。
【００４８】
図９は、サーバー１４が、睡眠および活動量表示画像を作成し、表示端末１５に送信するまでの動作を示している。サーバー１４は、表示端末１５から通信要求を受信すると通信を確立する。通信が確立されると表示端末１５の機器ＩＤ等を取得し、予めユーザーＩＤと表示端末１５の機器ＩＤを紐付けしてメモリ１４５に記憶されたテーブルを参照して、ユーザーＩＤを取得する。次に、ユーザーＩＤに紐付けされメモリ１４５に記憶された設定テーブルを参照して、グラフの種類、表示期間、時刻帯の幅、表示するデータの種類・表示方法等を取得する。次に、所定の時刻範囲を示す時刻帯が刻まれた時刻表示画像を作成する。次に、ユーザーＩＤに紐付けされメモリ１４５に記憶されたデータテーブルを参照して、起床時刻および就床時刻、活動量データ、その他必要なデータを、それぞれ取得して時刻表示画像上にプロットする。このとき、メモリ１４５に記憶された睡眠データに起床時刻および就床時刻が明示的に含まれていない場合は、睡眠深度等のデータからこれらの時刻を求める。このようにして睡眠および活動量表示画像が作成できたら、これを表示端末１５に送信する。睡眠および活動量表示画像は、表示端末からの要求を待って送信されるようにしてもよい。
【００４９】
本発明は上記の実施形態に限られるものではない。
【００５０】
例えば、上記実施形態では睡眠データと活動量データを表示する例を示したが、周期性を有する生体情報は血圧、脈拍、体温などであってもよい。またその周期は概日リズムであるものに限らず、月齢や地球の公転に対応した周期のものであってもよい。
【００５１】
また、例えば、上記実施形態では時刻表示画像の起点および終点が昼の１２時であったが、人の通常の活動を表示するために、起点および終点を例えば夜中の３時としてもよい。このように、起点および終点を適切に選択することによって、着目している生体情報が分断されることなく一画面に表示できる。
【００５２】
また、生体情報表示方法を用いるシステムの構成も、本発明の思想の範囲内で適宜変更することができる。
【符号の説明】
【００５３】
１０  睡眠および活動量表示システム
１１  ネットワーク
１２  睡眠計測装置
１２１  入力部、１２２  センサー、１２３  制御部、１２４  ＣＰＵ
１２５  メモリ、１２６  表示部、１２７  通信部
１３  活動量計測装置
１３１  入力部、１３２  センサー、１３３  制御部、１３４  ＣＰＵ
１３５  メモリ、１３６  表示部、１３７  通信部
１４  サーバー
１４１  入力部、１４３  制御部、１４４  ＣＰＵ
１４５  メモリ、１４６  表示部、１４７  通信部
１５  表示端末
１５１  入力部、１５３  制御部、１５４  ＣＰＵ
１５５  メモリ、１５６  表示部、１５７  通信部
２０  睡眠および活動量表示画像
２１  時刻表示画像
２２  時刻帯
２３  睡眠時間、  ２４  非睡眠時間
２５  就床時刻、  ２６  入眠時刻、  ２７  起床予定時刻、  ２８  起床時刻
２９  活動時刻帯（中強度）、  ３０  活動時刻帯（高強度）
３１  スッキリ度（ユーザーの主観による満足度）
３２  寝返り
３３  食事マーク
３４  リラックスゾーン
【図１】
2014168492.tif 000003
【図２】
2014168492.tif 000004
【図３】
2014168492.tif 000005
【図４】
2014168492.tif 000006
【図５】
2014168492.tif 000007
【図６】
2014168492.tif 000008
【図７】
2014168492.tif 000009
【図８】
2014168492.tif 000010
【図９】
2014168492.tif 000011